(57)【要約】【課題】後方を後軸７に回転可能に固設した連結筒１７と、連結筒１７の前方が装着された前軸４とが、空回りし難い構造の回転操作式筆記具１を得ることを目的とする。【解決手段】切削加工により、連結筒１７の前方に、前後方向の中間位置に頂部１７ｃを有し且つ前端１７ｄおよび後端１７ｅから頂部１７ｃに向かって肉厚が厚くなるなだらかな山形状の突部１７ｆを形成すると共に、連結筒１７の側面に複数の貫通孔１７ｇを設けることで突部１７ｆを貫通孔１７ｇで区切ると共に突部１７ｆの頂部の端縁に角部１７ｈを形成する。【選択図】図２
2015051572.tif 000002
【特許請求の範囲】
【請求項１】
軸筒が、前軸と後軸と連結筒とを備え、前記連結筒の後方を前記後軸に回転可能に固設すると共に該連結筒の前方を前記前軸に挿着して連結し、前記前軸を前記後軸に対して回動させることにより、前記後軸内に設けたカム斜面を有するカム部で前記軸筒内に収容した筆記体の後方に配した摺動体を前進させ、筆記先端を前記前軸の先端開口から突出させる構造の回転操作式筆記具において、
切削加工により、前記連結筒の前方に、前後方向の中間位置に頂部を有し且つ前端および後端から前記頂部に向かって肉厚が厚くなるなだらかな山形状の突部を形成すると共に、前記連結筒の側面に複数の貫通孔を設けることで前記突部を前記貫通孔で区切ると共に該突部の頂部の端縁に角部を形成し、前記連結筒を前記前軸に挿着した際に、前記連結筒の突部の頂部を前記前軸の内面に圧接して抜け止めとし、前記前軸の内面に対して前記突部の角部が当接して、前記前軸と前記連結筒との回転止めとした構造の回転操作式筆記具。
【発明の詳細な説明】
【技術分野】
【０００１】
本発明は、前軸と後軸とを有し、後軸に対して前軸を回動させることにより、軸筒内に収容した筆記体の筆記先端を前軸の先端開口から突出させる構造の回転操作式筆記具に関する。
【背景技術】
【０００２】
回転操作式筆記具の一例として、先行文献１（特開平７−２３７３９４号公報）に見られるような軸筒内に１本の筆記体を収容した構造や、先行文献２（特開２０１２−２２３９６４号公報）に見られるような軸筒内に複数の筆記体を収容した構造がある。
【０００３】
従来の回転操作式筆記具を、図５にて説明を行うと、後軸７内の摺動ケース１１に固定した連結筒１７０を前軸４に挿通させ、連結筒１７０の外方へ突設させた突部１７０ｆを前軸４の内面２ｂに圧接させて前軸４と後軸７とを連結し、後軸７に対して前軸４を回動させることにより、前軸４に挿着した連結筒１７０を介して摺動ケース１１を回動させ、摺動ケース１１の回動により、図示しないが後軸内に設けたカム斜面を有するカム部にて筆記体の後方に配設した摺動体を前進させ、軸筒内に収容した筆記体の筆記先端を前軸の先端開口から突出させる構造となっている。
【０００４】
ところで、前記連結筒１７０は、薄肉の金属製の筒体をプレス加工で内側から叩くことにより、外方へ突出する突部を形成してあることから、突部の頂部が丸みを帯びてしまい、前軸と後軸との着脱を繰り返すうちに、前軸に対する突部の圧接力が弱くなり、後軸に対して前軸を回動させた際に前軸と連結筒とが空回りして、正確な回転操作を行うことができなくなる場合があった。
【先行技術文献】
【特許文献】
【０００５】
【特許文献１】特開平７−２３７３９４号公報
【特許文献２】特開２０１２−２２３９６４号公報
【発明の概要】
【発明が解決しようとする課題】
【０００６】
本発明では、後方を後軸に回転可能に固設した連結筒と、該連結筒の前方が装着された前軸とが、空回りし難い構造の回転操作式筆記具を得ることを目的とする。
【課題を解決するための手段】
【０００７】
本発明は、
「軸筒が、前軸と後軸と連結筒とを備え、前記連結筒の後方を前記後軸に回転可能に固設すると共に該連結筒の前方を前記前軸に挿着して連結し、前記前軸を前記後軸に対して回動させることにより、前記後軸内に設けたカム斜面を有するカム部で前記軸筒内に収容した筆記体の後方に配した摺動体を前進させ、筆記先端を前記前軸の先端開口から突出させる構造の回転操作式筆記具において、
切削加工により、前記連結筒の前方に、前後方向の中間位置に頂部を有し且つ前端および後端から前記頂部に向かって肉厚が厚くなるなだらかな山形状の突部を形成すると共に、前記連結筒の側面に複数の貫通孔を設けることで前記突部を前記貫通孔で区切ると共に該突部の頂部の端縁に角部を形成し、前記連結筒を前記前軸に挿着した際に、前記連結筒の突部の頂部を前記前軸の内面に圧接して抜け止めとし、前記前軸の内面に対して前記突部の角部が当接して、前記前軸と前記連結筒との回転止めとした構造の回転操作式筆記具。」である。
【０００８】
本発明における連結筒は、旋盤とフライス盤とが一体となった複合機で切削加工することが好ましく、連結筒を、例えばステンレス等の丸棒から削り出すことにより、突部の肉厚が前端および後端から頂部に向かって厚くなる形状の成形が容易となり、また突部の頂部箇所の肉厚を厚くすることで、連結筒を前軸に挿着した際において最も力が掛る頂部の変形を防止することができることから、前軸と後軸との着脱を繰り返しても、前軸に対する連結筒の挿着力が弱くなり難い構造となる。
【発明の効果】
【０００９】
本発明により、後方を後軸に回転可能に固設した連結筒と、該連結筒の前方が装着された前軸とが、空回りし難い構造の回転操作式筆記具を得ることができた。
【図面の簡単な説明】
【００１０】
【図１】図１は、本実施例の回転操作式筆記具の縦断面図である。
【図２】図２は、前軸と後軸とを連結する際の要部を一部断面で示した図である。
【図３】図３は、図２を斜視図で表わした図である。
【図４】図４は、図３の端面図で、図４Ａは図３のＡ−Ａ線端面図、図４Ｂは図３のＢ−Ｂ線端面図である。
【図５】図５は、従来の回転操作式筆記具の要部を一部断面で示した図である。
【発明を実施するための形態】
【００１１】
本発明の実施例を図面を用いて説明する。実施例において同じ部材、同じ箇所を示す場
合は同じ符号を付してある。本実施例の説明においては、筆記先端がある方を前方と表現し、その反対側を後方と表現する。
図１に示すように、本実施例の回転操作式筆記具１は、前部軸部材２の前方に先口３を配した前軸４と、後部軸部材５の後方に尾冠６を配した後軸７とを備えた軸筒８の内部に、ボールペン体９とシャープペンシル体１０とを保持する複数の摺動溝１１ａを設けた摺動ケース１１と、カム部１２ａを設けたカム筒１２とを有し、摺動溝１１ａに、カム係止突起１３ａを有する摺動体１３が装着されたボールペン体９を、コイルスプリング１４ａにより軸筒８の先端開口８ａと反対側の後方へ付勢して配し、他の摺動溝に、カム係止突起１５ａを有する摺動体１５が装着されたシャープペンシル体１０を、コイルスプリング１４ｂにより軸筒８の先端開口８ａと反対側の後方へ付勢して配している。尚、図示しないが軸筒８の内部には、ボールペン体９と異なる筆記色である第二のボールペン体を収容してある。
【００１２】
カム筒１２は、カム部１２ａのカム斜面１２ｂの先端に凹溝１２ｃを形成してあり、摺動体１３のカム係止突起１３ａまたは摺動体１５のカム係止突起１５ａをカム斜面１２ｂに当接して、摺動ケース１１の回転に伴い、カム係止突起１３ａ，１５ａがカム筒１２のカム斜面１２ｂに沿って移動することで、摺動体１３を装着したボールペン体９の筆記先端９ａまたは摺動体１５を装着したシャープペンシル体１０の筆記先端１０ａの筆記先端１０ａを、軸筒８の先端開口８ａから出没できるようにしてあり、カム部１２ａの凹溝１２ｃに摺動体１３のカム係止突起１３ａまたは摺動体１５のカム係止突起１５ａを係止させることで、コイルスプリング１４ａ，１４ｂを圧縮しながら、ボールペン体９の筆記先端９ａまたはシャープペンシル体１０の筆記先端１０ａを、軸筒８の先端開口８ａから突出した状態で維持させることができる。
【００１３】
本実施例では、カム筒１２の後部へ形成した雌螺子部１２ｄに接続部材１６の前部へ形成した前方雄螺子部１６ａを螺着し、接続部材１６の後部へ形成した後方雄螺子部１６ｂに尾冠６の前部へ形成した前方雌螺子部６ａを螺着してある。接続部材１６の中間部外周にはフランジ１６ｃを形成してあり、カム筒１２の雌螺子部１２ｄと接続部材１６の前方雄螺子部１６ａを螺合する際に、後部軸部材５に形成した内向きの鍔部５ａを挟持させて、後部軸部材５にカム筒１２を回転不能に固定してある。摺動ケース１１とカム筒１２とは、摺動ケース１１の上方に設けた小径部１１ｂの後方に鍔部１１ｃを形成し、鍔部１１ｃがカム筒１２の内面に形成した内向突起１２ｅを乗り越えるように圧入して、カム筒１２に対して摺動ケース１１を回転可能に接続してある。
【００１４】
次に、図１〜図３を用いて、前軸４と後軸７との連結状態について詳述を行う。本実施例では、前軸４と後軸７との連結に連結筒１７を使用しており、連結筒１７は、後軸７に対して回転可能に配した摺動ケース１１に対して、連結筒１７の後方に形成したカシメ部１７ａで固定してある。連結筒１７の中間外周面には円環突起１７ｂを形成してあり、前部軸部材２の後端部２ａが当接するようにしてある。図２および図３に示すように、連結筒１７の前方には中間位置に頂部１７ｃを有し、前端１７ｄおよび後端１７ｅから頂部１７ｃに向かって肉厚が厚くなるなだらかな山形状の突部１７ｆを形成してある。また、連結筒１７の前方には長円状の３つの貫通孔１７ｇを長手方向が軸心に沿うようにして放射状の位置に形成してあり（図４参照）、突部１７ｆを貫通孔１７ｇで区切ると共に、各頂部１７ｃの端縁に角部１７ｈを形成してある。
【００１５】
尚、本実施例の連結筒１７は、ステンレス製の丸棒を旋盤とフライス盤とが一体となった複合機で切削加工してあり、図１に示すように、連結筒１７を前軸４に挿着させた際には、突部１７ｆの頂部１７ｃが前部軸部材２の内面２ｂを圧接して抜け止め状態となり、後軸７に対して前軸４を回動させた際には、突部１７ｆの頂部１７ｃに形成された角部１７ｇが前部軸部材２の内面２ｂに当接して、前軸４と連結筒１７との回転止となった。特に本実施例の連結筒１７は、図４Ａで示したように、角部１７ｇを鋭角に形成してあることから、前部軸部材２の内面２ｂに対して食い込むように当接して、さらに回転がし難くなっている。
【符号の説明】
【００１６】
１…回転操作式筆記具、
２…前部軸部材、２ａ…後端部、２ｂ…内面、
３…先口、４…前軸、
５…後部軸部材、５ａ…鍔部、
６…尾冠、６ａ…前方雌螺子部、７…後軸、
８…軸筒、８ａ…先端開口、
９…ボールペン体、９ａ…筆記先端、
１０…シャープペンシル体、１０ａ…筆記先端、
１１…摺動ケース、１１ａ…摺動溝、１１ｂ…小径部、
１１ｃ…鍔部、
１２…カム筒、１２ａ…カム部、１２ｂ…カム斜面、
１２ｃ…凹溝、１２ｄ…雌螺子部、１２ｅ…内向突起、
１３…摺動体、１３ａ…カム係止突起、
１４ａ…コイルスプリング、１４ｂ…コイルスプリング、
１５…摺動体、１５ａ…カム係止突起、
１６…接続部材、１６ａ…前方雄螺子部、１６ｂ…後方雄螺子部、
１６ｃ…フランジ、
１７…連結筒、１７ａ…カシメ部、１７ｂ…円環突起、
１７ｃ…頂部、１７ｄ…前端、１７ｅ…後端、１７ｆ…突部、
１７ｇ…貫通孔、１７ｈ…角部。
【図１】
2015051572.tif 000003
【図２】
2015051572.tif 000004
【図３】
2015051572.tif 000005
【図４】
2015051572.tif 000006
【図５】
2015051572.tif 000007